(57)【要約】【課題】飲料容器又は食品容器に当初から付属したキャップに代えて使用することにより、それら容器の口部周辺の殺菌消毒を施すことができるキャップを提供すること。【解決手段】飲料容器（又は食品容器）としてのペットボトルｂの口部ｃに被着するための透光性を有するキャップ本体１に、紫外線ランプ１８を配置した光源回路基板１５と、その光源回路に介装される電源スイッチ１９と、その光源回路に電力を供給するボタン型電池２２とを組み付けてユニット化し、紫外線ランプ１８から発せられる紫外線をペットボトルｂの口部ｃに対して照射させることにより、その口部周辺の殺菌消毒を施すように構成した。【選択図】  図２
2004196370.tif 000002
【特許請求の範囲】
【請求項１】
飲料容器又は食品容器の口部に被着するための透光性を有する合成樹脂製キャップ本体に、紫外線ランプ又は紫外線発光素子を配置した光源回路基板と、その光源回路に介装される電源スイッチと、その光源回路に電力を供給する小型電池とを組み付けてユニット化し、前記紫外線ランプ又は紫外線発光素子から発せられる紫外線を前記口部に対して照射させることにより、その口部周辺の殺菌消毒を施すように構成したことを特徴とする飲料容器又は食品容器用キャップ。
【請求項２】
前記電源スイッチのオン動作状態にて、前記紫外線ランプ又は紫外線発光素子の点滅動作を行なわせるように構成したことを特徴とする請求項１に記載の飲料容器又は食品容器用キャップ。
【請求項３】
前記キャップ本体に雌ネジを形成し、前記飲料容器又は食品容器の口部外周に設けられたネジに該雌ネジを螺合することにより、当該キャップ本体を該飲料容器又は食品容器の口部に被着させるように構成したことを特徴とする請求項１又は２に記載の飲料容器又は食品容器用キャップ。
【発明の詳細な説明】
【０００１】
【発明の属する技術分野】
本発明は、飲料容器内の飲料を一時に飲み切り若しくは食品容器内の食品を一時に消費せずに残しておく場合に、当初の付属したキャップに代えて使用される殺菌消毒機能をもつキャップに関する。
【０００２】
【従来の技術】
飲料容器の例として、昨今ではペットボトルが普及している。そして、ペットボトル入りのお茶や水等の飲料については、時間を置いて少しずつ飲まれる傾向がある。ところが、ペットボトル入りの飲料を一時に飲み切らないで残したままにしておくと、口からペットボトルに移った雑菌が時間の経過に比例して増殖すると言われている。特に夏場などの気温が高い場合において、口から移った雑菌がどんどんと増殖を続けるということが公の環境衛生科学研究所の実験により確認されたようである。しかし、ペットボトルのキャップには、積極的な殺菌消毒機能を有するものは使用されていない。
【０００３】
【発明が解決しようとする課題】
上述したようにペットボトル入りの飲料を一時に飲まずに時間を置いて飲むことや食品容器内の残された食品を後で食することは、多くの雑菌を含んでいる可能性があることから注意を要すると言えよう。斯様な事情から、飲料容器の関連においても何らかの対策を講ずることが必要だと考えられる。
【０００４】
この発明の目的は、飲料容器又は食品容器に当初から付属したキャップに代えて使用することにより、それら容器の口部周辺の殺菌消毒を施すことができるキャップを提供することにある。
【０００５】
【課題を解決するための手段】
前記目的を達成するために請求項１に記載した発明は、飲料容器又は食品容器の口部に被着するための透光性を有する合成樹脂製キャップ本体に、紫外線ランプ又は紫外線発光素子を配置した光源回路基板と、その光源回路に介装される電源スイッチと、その光源回路に電力を供給する小型電池とを組み付けてユニット化し、前記紫外線ランプ又は紫外線発光素子から発せられる紫外線を前記口部に対して照射させることにより、その口部周辺の殺菌消毒を施すように構成したことを特徴とする。
【０００６】
同様の目的を達成するために請求項２に記載した発明は、請求項１に記載の飲料容器又は食品容器用キャップにおいて、前記電源スイッチのオン動作状態にて、前記紫外線ランプ又は紫外線発光素子の点滅動作を行なわせるように構成したことを特徴とするものである。
【０００７】
同様の目的を達成するために請求項３に記載した発明は、請求項１又は２に記載の飲料容器又は食品容器用キャップにおいて、前記キャップ本体に雌ネジを形成し、前記飲料容器又は食品容器の口部外周に設けられたネジに該雌ネジを螺合することにより、当該キャップ本体を該飲料容器又は食品容器の口部に被着させるように構成したことを特徴とするものである。
【０００８】
【発明の作用及び効果】
（請求項１の発明）
この発明の飲料容器又は食品容器用キャップを、飲料容器又は食品容器に当初から付属したキャップに代えて取り付ける。そして、キャップに設けられた電源スイッチをオン動作させると、紫外線ランプ又は紫外線発光素子から紫外線が発せられる。その紫外線が容器の口部に対して照射されることにより、その口部周辺の殺菌消毒が施される。
【０００９】
（請求項２の発明）
この発明のキャップに設けられた電源スイッチのオン動作状態にすると、紫外線ランプ又は紫外線発光素子は一定時間を置いて点滅動作を行う。これにより、キャップに内蔵された小型電池の消耗を防止できる。
【００１０】
（請求項３の発明）
この発明のキャップは、飲料容器又は食品容器の口部外周に設けられたネジに、キャップ本体の雌ネジを螺合することにより、それらの容器の口部に簡単に被着することができる。
【００１１】
この飲料容器又は食品容器用キャップは、飲料容器又は食品容器に当初から付属したキャップに代えて使用することにより、それら容器の口部周辺の殺菌消毒を施すことができる。その結果、飲料や食品を安全に衛生的に喫食することが可能な副次的効果を有する。
【００１２】
【発明の実施の形態】
以下に、本発明の実施の形態例を図面に基づいて説明する。図１はペットボトル用キャップの斜視図、図２はペットボトル用キャップの縦断側面図、図３はペットボトル用キャップの分解斜視図、図４は図２のＡ−Ａ線断面図、図５はペットボトル用キャップをペットボトルに取り付けた状態を示す説明図である。
【００１３】
この実施形態例では、本発明の「飲料容器又は食品容器用キャップ」をお茶や水等の飲料に用いられるペットボトルｂに適用する場合について説明する。図において、１はペットボトル用キャップ（以下、単に「キャップ」という）Ｐの透光性を有する合成樹脂製キャップ本体である。このキャップ本体１は、図２に示すように、中心部にテーパー形状の深い窪み３が形成された円形の蓋部分２の内周面に、ペットボトルｂの口部ｃに設けられたネジｄに適合する雌ネジ５を形成し、その窪み３側に、蓋部分２の外径よりもやや縮径させた短かい円筒部６を当該蓋部分２と同心状に一体に形成している。４は円筒部６の内方の蓋部分２に突設された軸杆であり、この軸杆４には小径のゴムローラ１０が取り付けられている。その筒部６には、窪み３の中心と軸杆４の中心とを結ぶ仮想線を中心にして所定幅寸法の切欠部７が設けられると共に、その切欠部７の中心から９０°の角度を隔てた位置で半径方向に案内溝８を設けている。９は案内溝８に遊嵌されたラチェットであり、後記電源スイッチ１９の構成要素である。また、筒部６の内面には、後記光源回路基板１５を固定するための係止突条６ａと複数の突条６ｂを一体に形成している。
【００１４】
光源回路基板１５の円形状基板本体１６には、紫外線ランプ（又は紫外線発光素子）１８を中心部に配置し、電源スイッチ１９を構成するためのＶ字形のバネ性を有するスイッチ片１９ａと接点ピン１９ｂとを適宜間隔にて配設し、その紫外線ランプ１８に導通させた一対の端子片２０，２０をそれらと反対面側に突出するように設けている。それらの端子片２０，２０の間には、小型電池としてのボタン型電池２２を収める。
【００１５】
図２、図４に示すように、この光源回路基板１５は、前記キャップ本体１の筒部６内に、紫外線ランプ１８を先頭にして円形基板本体１６の周縁に設けられた切欠１７を前記係止突条６ａに係合させて挿入され、前記突条６ｂに一方の面１６ａを突き当てるように取り付けられている。２３は円形基板本体１６の端子片２０側に装着された円形状絶縁板である。
【００１６】
２５は中心穴２６を前記キャップ本体１の筒部６に遊嵌され、かつ、その中心穴２６の前後に同心状に形成された段付穴２７，２７の一方を前記蓋部分２に外側から嵌められたスイッチリングである。その中心穴２６の内面には、突起部２８と凹部２９とが設けられている。図４に示すように、その突起部２８は前記キャップ本体１の切欠部７に、その凹部２９は前記ラチェット９の後端部９ａに夫々対応するように配置されている。
【００１７】
しかして、スイッチリング２５を時計方向に回転させることにより、スイッチ片１９ａがラチェット９の前進移動により接点ピン１９ｂに圧接されてオン動作の状態となり、スイッチリング２５を反時計方向に回転させることにより、スイッチ片１９ａがラチェット９の後退移動により接点ピン１９ｂから開離してオフ動作の状態とされる電源スイッチ１９が構成される。
【００１８】
なお、スイッチリング２５については、突起部２８が前記キャップ本体１のゴムローラ１０にデッドポイントを越えた箇所で押圧されることにより、オン又はオフの状態を夫々保持されるように設けられている。また、キャップ本体１の切欠部７の端面に突起部２８を当接させることにより、スイッチリング２５の移動範囲が規制されるように設けられている。
【００１９】
３０は前記光源回路基板１５の浮き上がりを防ぐように設けられた押さえカバーである。この押さえカバー３０は、段付穴の大径部３１ａを前記キャップ本体１の筒部６に嵌着され、その大径部３１ａの周縁部３２を前記スイッチリング２５の他方の段付穴２７に挿入されている。その大径部３１ａから延びるように一体に形成されたやや小径の頭部３３には、前記端子片２０，２０とボタン型電池２２を臨ませるための開口部３４と、外周面に１８０°の角度を隔てて一対の係合孔３５，３５を設けている。それらの係合孔３５，３５には、電池用キャップ４０の内面に対向状に形成された突起４１，４１を係合させるように設けられており、その電池用キャップ４０は押さえカバー３０に固定されている。
【００２０】
以上により、キャップ本体１に、光源回路基板１５と、電源スイッチ１９と、ボタン型電池２２と、スイッチリング２５と、押さえカバー３０及び電池用キャップ４０を組み付けることにより、ユニット化されたペットボトル用キャップＰが構成される。
【００２１】
なお、上記光源回路については、紫外線ランプ１８を一定時間を置いて点滅動作をさせるように制御することもできる。これにより、内蔵されるボタン型電池２２の消耗を防止することができる。
【００２２】
つぎに、かかる構成になるペットボトル用キャップＰの作動及び使用方法について述べる。
図５に示すように、ペットボトルｂに当初から付属したネジ付キャップ（図示せず）に代えて本発明のペットボトル用キャップＰを取り付ける。そして、キャップＰに設けられたスイッチリング２５を時計方向に回転させると、電源スイッチ１９のスイッチ片１９ａが接点ピン１９ｂに圧接されて光源回路を閉じる。これにより、紫外線ランプ１８に電力が供給されて紫外線が発せられ、その紫外線がペットボトルｂの口部ｃに対して照射されるので、その口部ｃの周辺の殺菌消毒を施すことができる。
【００２３】
他方、スイッチリング２５を反時計方向に回転させることにより、電源スイッチ１９がオフ状態となって紫外線ランプ１８は消灯し、さらに回転を続ければ、キャップ本体１の雌ネジ５がペットボトルｂのネジｄから脱するのでペットボトル用キャップＰは取り外される。
【００２４】
以上の通り、この飲料容器又は食品容器用キャップは、飲料容器又は食品容器に当初から付属したキャップに代えて使用することにより、それら容器の口部周辺の殺菌消毒を施すことができる。その結果、飲料や食品を安全に衛生的に喫食することが可能な副次的効果を有する。
【図面の簡単な説明】
【図１】ペットボトル用キャップの斜視図
【図２】ペットボトル用キャップの縦断側面図
【図３】ペットボトル用キャップの分解斜視図
【図４】図２のＡ−Ａ線断面図
【図５】ペットボトル用キャップをペットボトルに取り付けた状態を示す説明図
【符号の説明】
ｂ・・・ペットボトル（飲料容器）
ｃ・・・口部  ｄ・・・ネジ
Ｐ・・・ペットボトル用キャップ（飲料容器用キャップ）
１・・・キャップ本体
５・・・雌ネジ  ９・・・ラチェット
１０・・・ゴムローラ
１５・・・光源回路基板
１８・・・紫外線ランプ
１９・・・電源スイッチ
１９ａ・・・スイッチ片  １９ｂ・・・接点ピン
２２・・・ボタン型電池（小型電池）
２５・・・スイッチリング
３０・・・押えカバー
４０・・・電池用キャップ
【図１】
2004196370.tif 000003
【図２】
2004196370.tif 000004
【図３】
2004196370.tif 000005
【図４】
2004196370.tif 000006
【図５】
2004196370.tif 000007